(57)【要約】【課題】貫通モジュールを備えた密封フィードスルーを提供する。【解決手段】壁２の開口部内に固定され密封された円筒状アセンブリスリーブ３と、密封を確保する手段１１がその外表面の周囲上に配置された円筒状貫通モジュール８とを備える密封壁フィードスルー１であって、前記モジュール８が、円筒状アセンブリスリーブ３内に進行することが可能であるとともに、アセンブリスリーブ３の内表面の周囲に切り込まれた少なくとも２つの環状溝１２ａ〜１２ｂから成る第１の係止手段１２を備える、密封壁フィードスルー１。【選択図】図３
2008249141.tif 000002
【特許請求の範囲】
【請求項１】
壁（２）の開口部内に固定され密封された円筒状アセンブリスリーブ（３）と、密封を確保する手段（１１）がその外表面の周囲に配置されているとともに、前記円筒状アセンブリスリーブ（３）内に進行することが可能な円筒状貫通モジュール（８）とを備える密封壁フィードスルー（１）であって、
前記アセンブリスリーブ（３）の内表面の周囲に切り込まれた少なくとも２つの環状溝（１２ａ、１２ｂ）から成る第１の係止手段（１２）と、
前記貫通モジュール（８）のハウジング（１０）の外表面の周囲に配置され、前記第１の手段（１２）に支持されて膨張することによって作用する高弾性率を有するスプリットリング（１５）がその中に挿入される溝から成る第２の係止手段（１３）と、
前記ハウジング（１０）の端部に切り込まれた外側のねじ山にねじ止めされるナットから成り、それによって、前記第１および第２の手段（１２、１３）と組み合わされて、前記貫通モジュール（８）を前記アセンブリスリーブ（３）内で保定する第３の係止手段（１４）とを備えることを特徴とする、密封壁フィードスルー（１）。
【請求項２】
前記第１の係止手段の前記環状溝（１２ａ、１２ｂ）が、垂直面（１２Ｖ）、水平面（１２Ｈ）、および傾斜面（１２Ｉ）によって画定される断面を有することを特徴とする、請求項１に記載の密封壁フィードスルー。
【請求項３】
前記スプリットリング（１５）がステンレススチールから作られることを特徴とする、請求項１に記載の密封壁フィードスルー。
【請求項４】
前記スプリットリング（１５）が長方形の断面を有することを特徴とする、請求項１に記載の密封壁フィードスルー。
【請求項５】
前記アセンブリスリーブ（３）の前記第１の係止手段（１２）における前記溝（１２ａ、１２ｂ）の１つの前記垂直面（１２Ｖ）が、前記貫通モジュール（８）を前記アセンブリスリーブ（３）内の定位置で保持するため、前記第２の係止手段（１３）の前記リング（１５）と組み合わされて作用することを特徴とする、請求項２に記載の密封壁フィードスルー。
【請求項６】
ホットセルの加熱側（２Ｃ）と冷却側（２Ｆ）を分離する壁フィードスルーの密封を完全に維持することを可能にする方法であって、円筒状貫通モジュール（８−１）の形態のアダプタを新しい円筒状貫通モジュール（８−２）と交換する作業の間、前記フィードスルー（１）が、密封されているとともに、壁（２）の開口部内に密封された円筒状の固定されたアセンブリスリーブ（３）を備え、前記モジュール（８−１、８−２）が、それらの外表面の周囲に配置されたそれらを密封する手段（１１）を備え、前記スリーブが、前記モジュールの角度方向の位置決めを可能にする指標付きリングの形態の極性デバイス（１６）を受け入れ、前記スリーブおよび前記モジュールが、第１、第２、および第３の係止手段（１２、１３、１４）を備えて、前記貫通モジュールを前記アセンブリスリーブ内で保持することを可能にする方法において、
交換すべき前記モジュール（８−１）が前記アセンブリスリーブ（３）内に進入できるようにするため、前記第３の係止手段（１４）と前記モジュール（８−１）の前記極性デバイス（１６）とを分解する段階と、
工具（１７）を使用して前記モジュール（８−１）を方向Ｆ１に押して、前記第１の係止手段（１２ａ）の前記傾斜面（１２Ｉ）を利用して前記第２の係止手段（１３）を解放できるようにする段階と、
前記新しいモジュール（８−２）上に前記第３の係止手段（１４）および前記極性デバイス（１６）を導入し、前記モジュール（８−２）を前記アセンブリスリーブ（３）内で位置決めすると同時に前記貫通モジュール（８−１、８−２）を方向Ｆ２に移動させる段階と、
前記第２の係止手段（１３）の前記スプリットリング（１５）および前記第１の係止手段の前記溝（１２ａ）の前記垂直面（１２Ｖ）を補完的に作用させることによって、前記交換モジュール（８−２）を定位置で係止する段階と、
前記第３の係止手段（１４）によって前記交換モジュール（８−２）を最終的に係止する段階とを含むことを特徴とする方法。
【請求項７】
前記円筒状アセンブリスリーブ（３）の内表面の周囲に切り込まれた、前記第１の係止手段の前記環状溝（１２ａ、１２ｂ）の前記垂直面（１２Ｖ）および前記傾斜面（１２Ｉ）が、前記セルの前記冷却側（２Ｆ）から前記加熱側（２Ｃ）まで延びる一方向（Ｆ１、Ｆ２）でのみ、前記円筒状貫通モジュール（８−１、８−２）が前記アセンブリスリーブ内に進行することを可能にすることを特徴とする、請求項６に記載の密封壁フィードスルー（１）の密封の完全な維持を確保することを可能にする方法。
【請求項８】
前記セルの前記冷却側（２Ｆ）において前記アセンブリスリーブ（３）の内表面の周囲に切り込まれた前記第１の係止手段の前記溝（１２ｂ）の前記垂直面（１２Ｖ）が、前記セルの前記冷却側（２Ｆ）を介して前記貫通モジュール（８−１、８−２）がいかなる形でも引き抜かれることを防ぐことを特徴とする、請求項６に記載の密封壁フィードスルーの密封の完全な維持を確保することを可能にする方法。
【請求項９】
前記第３の係止手段（１４）によって前記交換モジュール（８−２）を最終的に係止する前記段階が、ねじ止めによって行われることを特徴とする、請求項６に記載の密封壁フィードスルーの密封の完全な維持を確保することを可能にする方法。
【請求項１０】
前記第３の係止手段（１４）によって前記交換モジュール（８−２）を最終的に係止する前記段階が、圧締めによって行われることを特徴とする、請求項６に記載の密封壁フィードスルーの密封の完全な維持を確保することを可能にする方法。
【発明の詳細な説明】
【技術分野】
【０００１】
本発明の目的は、核産業または化学産業で使用されるようなタイプの苛酷環境セル壁フィードスルー向けの、貫通モジュールを備えた密封フィードスルー（Feedthrough）である。さらに、本発明は、壁密封フィードスルー向けの貫通モジュールを提供するという目的を有する。最後に、本発明は、貫通モジュールを密封壁フィードスルー内で別のモジュールと交換する方法に関する。
【０００２】
本発明は、それらのセル内で動作する装置が機能することを可能にする電流を分配する、という特定の用途を提供する。
【背景技術】
【０００３】
アダプタを備えた密封された管状フィードスルーを使用することにより、流体を供給することや、グローブボックス、すなわちいわゆる「ホット」セル内部に、つまり危険な生成物または放射線源を含む囲まれた領域の内部に電気接続を行うことが可能になることは、核設備の分野において既知である。
【０００４】
セル内に位置する運転機器、ならびにそれらのセルの壁フィードスルー内に位置するアダプタは、苛酷環境条件に晒されるため、それらのセルの作業員は、アダプタを定期的に交換して、前記フィードスルーを配備しなければならない。
【発明の開示】
【発明が解決しようとする課題】
【０００５】
密封フィードスルーの一実施形態が、フランス特許出願ＦＲ２６９８４９４Ａ１に開示されており、該出願では、前記フィードスルーは、加熱側、すなわち放射線に晒される囲まれた領域の内部から、冷却側、すなわちセルの外側まで、前記セルの壁を横切って延びる。
【０００６】
このフィードスルーは、円筒状アセンブリスリーブを構成する壁の密封部の形態を有し、スリーブ内には、そのハウジングの周囲に密封ジョイントを有するコネクタの形態のアダプタが挿入され、それが結果としてセルの密封に関与する。コネクタは、スリーブの外側から作動される係止フォークが移動することによって、アセンブリスリーブ内部の適所で保持され、スリーブは、コネクタハウジングに切り込まれた周囲溝と協働して作用する。このようにして、コネクタは、フォークが環状溝と協働して作用している間は固定され、フォークが溝から引き抜かれると進行することができる。
【０００７】
この実施形態によれば、従来技術では、コネクタを別のコネクタと交換することで、主に、係止フォークの接続部を受け入れるハウジングの環状溝近くの間隙において、壁フィードスルーの密封が損なわれるというリスクがあったが、この実施形態は、密封ジョイントをその周囲に備えた円筒状スリーブを、交換すべきコネクタと交換コネクタの間に位置決めすることによってその欠点を克服する。
【０００８】
この方法によって、セルの密封を損なうことなくアダプタを交換することが可能になるが、それでもなお、係止フォークを引き抜き、挿入するという作業が必要であり、したがって、フィードスルーの加熱側に対して同様に動作する正確な遠隔制御マニピュレータを使用することが必要である。同様に、交換作業の間、コネクタ間に配置された中間スリーブを使用することは、追加の「加熱」構成要素を伴い、それは、ホットセルから引き抜くために遠隔制御で介入することを必要とし、その結果、蓄えておくべき被照射構成要素の数が増加する。
【０００９】
したがって、遠隔制御マニピュレータを使用して操作される構成要素の数、またはそれらのセル内部の自動化デバイスの数を制限して、フィードスルーの密封の完全な維持を確保することによって、壁フィードスルーのアダプタの交換作業を簡略化する必要性がある。
【００１０】
作業のこの簡略化は、主に、新しいアダプタを位置決めし導入するためのものであり、それは、例えば特許ＦＲ２６９７６８７Ａ１に見られるように、前記アダプタの微妙な操作を必要とする。
【００１１】
米国特許第４６６６２２８号は、その外表面に２つの溝を含むコネクタを備えたグローブボックス壁フィードスルーを記載しており、それらの溝は、フィードスルースリーブの内表面と協調して作用する２つの密封シリコーンジョイントを有するレセプタクルとしての役割を果たす。これらの２つのジョイントは、除去されるコネクタを押しやることによって交換を行う間、フィードスルーの密封がジョイントの少なくとも１つによってもたらされるようにして、コネクタ本体の長手方向に位置決めされる。この特許の教示は、Ｐａｖｅ  Ｔｅｃｈｎｏｌｏｇｙ  Ｉｎｃの出版物によって補足され、その出版物においては、気密の原理とは別に、弾性の抜け防止リングが言及され、添付図面に示されている。この出版物は、グローブボックスの冷却側を介してコネクタの早過ぎる抜けが生じることを防ぐため、弾性スプリットリングを使用することが既知であることを教示している。
【００１２】
しかしながら、このリングは、コネクタがスリーブ内で最終的に位置決めされたとき、コネクタの抜け防止機能のみを行う。
【００１３】
さらに、フィードスルーの密封の十分な維持を確保するため、運転中、より具体的には交換作業中にアダプタを導入する際に、アダプタの早過ぎる抜けが生じるあらゆるリスクを排除するという重要な必要性がある。
【００１４】
本発明は、貫通モジュールの形状のアダプタを別の貫通モジュールと交換する作業中に、管状の壁フィードスルーの密封を十分に維持することを可能にするデバイスを提供するという目的を有する。
【課題を解決するための手段】
【００１５】
その目的を考慮して、本発明は、壁の開口部内に密封された円筒状アセンブリスリーブと、密封を確保する手段がその外表面の周囲に配置された円筒状貫通モジュールであって、円筒状アセンブリスリーブ内に進行することが可能なモジュールと、アセンブリスリーブの内表面の周囲に切り込まれた少なくとも２つの環状溝から成る第１の係止手段を含むアセンブリスリーブ内部でのモジュールの係止を可能にする手段とを備える、壁密封フィードスルーに関する。
【００１６】
本発明の主な特徴の１つによれば、アセンブリスリーブの内表面の周囲に切り込まれた溝は、垂直面、水平面、および傾斜面によって画定される断面を有する。
【００１７】
本発明の主な特徴の１つによれば、モジュールは、その外表面の周囲に密封をもたらす手段を有するハウジングを備え、高弾性率を有するスプリットリングが中に挿入される溝から成る第２の係止手段が配置される。この特性によれば、リングはステンレススチールで作られており、長方形の断面を有する。
【００１８】
本発明の主な特徴の１つによれば、アセンブリスリーブの第１の係止手段における溝の１つの垂直面は、それを補完するモジュールの第２の係止手段と協調して作用する。
【００１９】
本発明によれば、モジュールは、第２の手段と組み合わされて、貫通モジュールを密封位置で維持する第３の係止手段を備える。
【００２０】
本発明は、さらに、貫通モジュールの形態のアダプタを別の貫通モジュールと交換する作業中、壁フィードスルーの密封の完全な維持を確保することを可能にする方法を提供するという目的を有する。
【００２１】
本発明の主な特徴の１つによれば、アセンブリスリーブの内表面の周囲に切り込まれた溝の垂直面および傾斜面は、貫通モジュールが、セルの冷却側から加熱側まで延びる一方向でのみアセンブリスリーブ内に進行することを可能にする。
【００２２】
本発明の主な特徴の１つによれば、セルの冷却側においてアセンブリスリーブの内表面の周囲に切り込まれた溝の垂直面は、セルの冷却側を介して貫通モジュールがいかなる形でも引き抜かれることを防止する。
【００２３】
本発明は、以下の説明および添付図面を参考にして、さらに良く理解されるであろう。
【発明を実施するための最良の形態】
【００２４】
図１は、いわゆる「ホット」セル壁フィードスルー(hot cell wall feedthrough)、すなわちグローブボックス用のアセンブリスリーブ３の斜視図を示す。前記図１では、アセンブリスリーブの断面図である図３aと同様に、前記アセンブリスリーブは、符号２で部分的に示される壁の開口部内に位置決めされ、固定されており、その壁は、セルの加熱側２Ｃ、すなわち放射線に晒される囲まれた領域と、冷却側２Ｆ、すなわちセルの外側とを分離する。スリーブ３は、円筒状の形態を有し、好ましくは耐腐食性のステンレススチールで作られ、その端部の１つに壁の面２Ｆを支持するフランジ４を備える。このフランジは、壁に平行で、かつ壁と連続しているその側面上に、フランジ４と壁２の間を密封する、Ｏリングタイプのジョイントの位置決め環状溝５を備える。反対側の側面上において、フランジは、貫通モジュールをアセンブリスリーブ３に導入する際にその角度方向の位置決めに必要な、極性デバイスが接近できるようにする肩部７を備える。
【００２５】
スリーブ３の他端には、その外表面上にねじ山が設けられ、ナット６を使用して壁２の開口部内に固定することを可能にしている。前記ねじ山は、アセンブリスリーブを異なる厚さの壁に固定することを可能にし、また少なくとも、スリーブ自体を幾何学形状の差異および許容差のばらつきから解放することにより、完全な密封を確保することを可能にしている。
【００２６】
アセンブリスリーブ３は、その内表面の周囲に切り込まれた２つの環状溝１２ａおよび１２ｂを備え、それらの溝は、後述される役割をもつ第１の係止手段１２と呼ばれる係止手段を構成する。アセンブリスリーブの内表面の周囲に切り込まれた前記環状溝１２ａおよび１２ｂは、図３ｂに示されるように、スリーブ３の水平軸に対する垂直面１２Ｖ、水平面１２Ｈ、および傾斜面１２Ｉによって画定される断面を有する。
【００２７】
図２は、アダプタ、すなわち貫通モジュール８を備えたアセンブリスリーブ３を含む密封壁フィードスルー１の斜視図である。このアセンブリは、制御信号および電力信号を伝達して、ホットセル内で動作する機器に供給する電気接点９を除いて、図３にも示される。「冷却」側の接点のみが図２に示されるが、同様の接点（雄または雌）が「加熱」側にも位置することは明白である。これらの接点は、貫通モジュール８の内部空間全体を充填してセルの封じ込めを確保する樹脂に封入される。この非限定的実施形態では、モジュール８は、ＵＬＣタイプのコネクタとして作用する電気接点を備えることに留意すべきであるが、この貫通モジュールは、機器に流体を供給できるようにするため、ダクトを備えることができることは明白である。同様に、モジュールは、混合され、電気接点および流体ダクトを受け入れることができる。
【００２８】
図３aに示されるように、貫通モジュール８は、密封を確保する手段１１がその外表面の周囲に配置された円筒状の金属ハウジング１０から成る。密封を確保するこれらの手段は、ハウジング１０の外表面に切り込まれた溝内に位置決めされた、Ｏリングタイプのジョイントから成る。後述されるように、これらの手段１１は、モジュール８を円筒状アセンブリスリーブ３内に進行させている間、「冷却」側と「加熱」側の間を密封する。
【００２９】
モジュールは、さらに、その外表面の周囲に、アセンブリスリーブ内部でのモジュールの係止を可能にする手段１３および１４を備える。
【００３０】
手段１３は、高弾性率スプリットリング１５がその中に挿入される溝から成り、以下、本明細書では第２の係止手段１３と呼び、第１の手段１２との補完的な役割を後述する。前記リング１５は、好ましくはステンレススチールから作られ、長方形の断面を有する。この断面が異なる幾何学形状を有してもよいことは明白である。
【００３１】
手段１４は、ハウジング１０の冷却側の端部に切り込まれた外側のねじ山にねじ止めされる、ナットおよび止めナット１３の形態の第３の係止手段である。これらのナット１４は、第１の手段１２および第２の手段１３と組み合わされて、セル内に位置する機器が機能している間、密封フィードスルー１内の定位置でモジュール８を確実に維持する。ナット１４は、フランジ４の肩部７上に載り、貫通モジュールをアセンブリスリーブ３内で位置決めする際にその角度方向の位置決めに必要な、極性デバイス１６を適所で保持することに留意されたい。極性デバイス１６は、貫通モジュール８が何らかの形で進行する前に分解することが必要な、指標付きリングの形態を有する。
【００３２】
ハウジング１０は、さらに、その各端部において、セルの外側に位置するコネクタおよびセルの内側に位置するコネクタが接続され、結果として装置と電力源または信号源との間に電気的連続性をもたらすことを可能にする手段を備える。これらの手段は、ハウジングの内表面に切り込まれたねじ山か、あるいは、ＵＬＣタイプのコネクタに使用されるようなプッシュプル式のラッチのいずれかから成る。
【００３３】
図４ａ〜４ｃは、密封壁フィードスルー１の密封を損なうことなく、前記壁フィードスルー内部において、交換されるべき貫通モジュール８−１を新しいモジュール８−２と交換する方法の主要な段階を示す。
【００３４】
図４ａに示されるように、本発明によって開発された方法は、モジュール８−１のナット１４のねじ込みを外し、極性デバイス１６のリングを取り外して貫通モジュール８−１を解放することから成り、それにより、セルの冷却側２Ｆから加熱側２Ｃまで延びる、矢印Ｆ１で示される一方向に引張ることによって、モジュールを移動させることができる。
【００３５】
分解後、工具１７がモジュール８−１の後部に結合され、工具１７のフランジ１８がアセンブリスリーブのフランジ４の肩部７上で支承されることによって画定される特定の位置まで、矢印Ｆ１に示されるようにモジュールを押す。この押出しによって、モジュール８−１の後部に位置する手段１１による密封を維持しながら、第２の係止手段１３が第１の係止手段１２ａから解放される。その結果、加えられた押出しにより、高弾性率スプリットリング１５を摩擦によって傾斜面１２Ｉ上で保持し、それを収容する溝内に引き戻すことが可能になる。
【００３６】
予備位置決め工具１７は、軸部１９上に嵌合された自動化デバイスによって操作できることに留意されたい。
【００３７】
図４ｂは、交換モジュール８−２の位置決めを示す。アセンブリチャンバ３内への導入に先立って、新しいモジュール８−２の後端は、ナットおよびカウンターナット１４、ならびに極性デバイス１６の指標付きリングを備える。他端はスリーブ３の中央空間に導入され、モジュールは、モジュール８−２の第２の係止手段１３がスリーブ３の第１の手段１２ｂに嵌め込まれるまで押し込まれる。これで、係止手段１３のスプリットリング１５がスリーブ３の環状溝１２ｂ内で保持されるので、新しいモジュール８−２が適所で保持され、モジュール８−１の後部ジョイント１１およびモジュール８−２の前部ジョイント１１によって密封がもたらされる。
【００３８】
図４ｃは、モジュール８−１がホットセルに入る前に定位置に達するまで、モジュール８−２によってモジュール８−１に対して同時に加えられる押出し作用を示しており、その作用は遠隔制御のマニピュレータに引き継がれ、それによって、モジュールはセルから排出される前に保護容器内に置かれる。
【００３９】
矢印Ｆ２によって示される方向に加えられる押出しにより、結果として、モジュール８−２の第２の係止デバイス１３の高弾性率スプリットリング１５が、アセンブリスリーブ３の溝の傾斜部分１２Ｉ上で摩擦によって保持されることにより、かつ第１の係止手段１２ａに達するまでそれを収容するモジュール８−２の溝内に引き戻されることにより、スプリットリング自体を第１の係止手段１２ｂから解放することが可能になる。リング１５を備えたモジュール８−２を第１の係止デバイス１２ａの溝内に保持することで、スプリットリング１５と環状溝１２ａの垂直面１２Ｖとの補完的作用によって、モジュール８−２を定位置で係止することが可能になる。
【００４０】
図５は、古いモジュール８−１が抜ける前の、モジュール８−２の位置決めと最終的な係止を示す。この段階は、第３の係止手段１４を実現することによって到達するものであり、手段１４は、手段１２と組み合わされる第２の手段１３と組み合わされて、貫通モジュールを最大密封位置で確実に維持する。上述したように、第３の係止手段１４は、カウンターナットを備えたナットとして図面に示される。しかしながら、第３の手段の変形が連結リングの形態で示され、それは、ハウジング１０の冷却側の端部上に締め付けられることによってモジュールを係止する。
【００４１】
図６は、交換モジュール８−２の部分的な挿入を示し、その際、操作エラーが交換作業に影響する恐れがある。実際には、フィードスルーの密封の完全な維持を確保するため、モジュール８−２を導入する間、交換作業の間、またはその後の、モジュール８−２の早過ぎる抜けが生じるあらゆるリスクを排除することが絶対的に必要である。
【００４２】
図６から分かるように、モジュール８−２の第２の係止手段は、スリーブ３の第１の係止手段１２ａには達していない。ここで、第２の係止手段１２ｂのところまでモジュール８−２を引き抜く動きが起こり、その際、モジュール８−２の抜けは、スプリットリング１５が膨張して溝１２ｂ内に入る作用によって停止される。より正確には、この補完的な係止作用は、リングと溝１２ｂの垂直面１２Ｖとの協調作用によって起こる。
【００４３】
図５および６は、したがって、本発明の特徴によってもたらされる利点を示し、それらの特徴によれば、同一設計の環状溝１２ａおよび１２ｂにより、スプリットリング１５と組み合わされて２つの異なる機能が可能になる。第１の機能、すなわちモジュールを適所で係止する機能は１２ａによって行われる一方、１２ｂは、第２の機能、すなわち、モジュールを導入する間および最終的に係止する前のモジュールの抜け防止を可能にする。
【００４４】
上述した段階は、アセンブリスリーブ３の内表面の周囲に切り込まれた溝の垂直面１２Ｖおよび傾斜面１２Ｉが、セルの冷却側から加熱側まで延びる密封フィードスルー１の水平軸に平行な一方向でのみ、貫通モジュール１０がアセンブリスリーブ内に進行することを可能にすることを示す。同様に、セルの冷却側においてアセンブリスリーブ３の内表面の周囲に切り込まれた溝の垂直面１２Ｖは、セルの冷却側を介して貫通モジュール１０がいかなる形でも引き抜かれることを防ぐ。
【００４５】
本発明は、記述されたデバイスの特徴に限定されず、反対にすべての変形例を含む。
【図面の簡単な説明】
【００４６】
【図１】本発明による壁フィードスルー用のアセンブリスリーブの斜視図である。
【図２】本発明による貫通モジュールを備えた壁フィードスルー用のアセンブリスリーブの斜視図である。
【図３】図３a本発明による貫通モジュールを備えた壁フィードスルー用のアセンブリスリーブの断面図であり、図３ｂは、前記貫通モジュールの第１の係止手段の断面図である。
【図４】貫通モジュールを別のモジュールと交換する方法の各段階を示す図である。
【図５】係止された貫通モジュールを示す図である。
【図６】貫通モジュールの抜け防止手段を示す図である。
【図１】
2008249141.tif 000003
【図２】
2008249141.tif 000004
【図３】
2008249141.tif 000005
【図４】
2008249141.tif 000006
【図５】
2008249141.tif 000007
【図６】
2008249141.tif 000008
【外国語明細書】
2008249141.tif 000009
2008249141.tif 000010
2008249141.tif 000011
2008249141.tif 000012
2008249141.tif 000013
2008249141.tif 000014
2008249141.tif 000015
2008249141.tif 000016
2008249141.tif 000017
2008249141.tif 000018
2008249141.tif 000019
2008249141.tif 000020
2008249141.tif 000021
2008249141.tif 000022
2008249141.tif 000023
2008249141.tif 000024
2008249141.tif 000025
2008249141.tif 000026
2008249141.tif 000027
2008249141.tif 000028
2008249141.tif 000029